(57)【特許請求の範囲】
【請求項１】
折り曲げ式アーム部に刃とスポンジと浸透印を設置するとともに、受け皿を設置した切断機であって、
前記折り曲げ式アーム部を回転させると共に前記折り曲げ式アーム部が紙を迂回させ前記受け皿が前記折り曲げ式アーム部の回転を停止し、同時に前記浸透印が前記紙を捺印しながら前記折り曲げ式アーム部と前記受け皿が前記スポンジを圧縮し、前記刃で前記紙を切断後、前記折り曲げ式アーム部を逆回転させ前記折り曲げ式アーム部と前記受け皿が離れ、圧縮されていた前記スポンジの復元しようとする反発力を利用し前記浸透印と前記紙を離脱させて迂回の前記紙を自由落下させる特徴の先端出し切断機。
【請求項２】
回転する折り曲げ式アーム部に刃とスポンジと浸透印を設置するとともに、受け皿を設置した切断機であって、
前記折り曲げ式アーム部を回転させると共に前記折り曲げ式アーム部が紙を迂回させ前記受け皿が前記折り曲げ式アーム部の回転を停止し、同時に前記浸透印が前記紙を捺印しながら前記折り曲げ式アーム部と前記受け皿が前記スポンジを圧縮し、前記刃で前記紙を切断後、前記折り曲げ式アーム部を逆回転させ前記折り曲げ式アーム部と前記受け皿が離れ、圧縮されていた前記スポンジの復元しようとする反発力を利用し前記浸透印と前記紙を離脱させて迂回の前記紙を自由落下させる特徴の先端出し切断機。
【請求項３】
蝶番にて回転する折り曲げ式アーム部に刃とスポンジと浸透印を設置するとともに、受け皿を設置した切断機であって、
前記折り曲げ式アーム部を回転させると共に前記折り曲げ式アーム部が紙を迂回させ前記受け皿が前記折り曲げ式アーム部の回転を停止し、同時に前記浸透印が前記紙を捺印しながら前記折り曲げ式アーム部と前記受け皿が前記スポンジを圧縮し、前記刃で前記紙を切断後、前記折り曲げ式アーム部を逆回転させ前記折り曲げ式アーム部と前記受け皿が離れ、圧縮されていた前記スポンジの復元しようとする反発力を利用し前記浸透印と前記紙を離脱させて迂回の前記紙を自由落下させる特徴の先端出し切断機。
【請求項４】
折り曲げ式アーム部に刃を設置するとともに、受け面にスポンジと浸透印を設置した切断機であって、
前記折り曲げ式アーム部を回転させると共に前記折り曲げ式アーム部が紙を迂回させ前記受け面が前記折り曲げ式アーム部の回転を停止し、同時に前記浸透印が前記紙を捺印しながら前記折り曲げ式アーム部と前記受け面が前記スポンジを圧縮し、前記刃で前記紙を切断後、前記折り曲げ式アーム部を逆回転させ前記折り曲げ式アーム部と前記受け面が離れ、圧縮されていた前記スポンジの復元しようとする反発力を利用し前記浸透印と前記紙を離脱させて迂回の前記紙を自由落下させる特徴の先端出し切断機。
【請求項５】
回転する折り曲げ式アーム部に刃を設置するとともに、受け面にスポンジと浸透印を設置した切断機であって、
前記折り曲げ式アーム部を回転させると共に前記折り曲げ式アーム部が紙を迂回させ前記受け面が前記折り曲げ式アーム部の回転を停止し、同時に前記浸透印が前記紙を捺印しながら前記折り曲げ式アーム部と前記受け面が前記スポンジを圧縮し、前記刃で前記紙を切断後、前記折り曲げ式アーム部を逆回転させ前記折り曲げ式アーム部と前記受け面が離れ、圧縮されていた前記スポンジの復元しようとする反発力を利用し前記浸透印と前記紙を離脱させて迂回の前記紙を自由落下させる特徴の先端出し切断機。
【請求項６】
蝶番にて回転する折り曲げ式アーム部に刃を設置するとともに、受け面にスポンジと浸透印を設置した切断機であって、
前記折り曲げ式アーム部を回転させると共に前記折り曲げ式アーム部が紙を迂回させ前記受け面が前記折り曲げ式アーム部の回転を停止し、同時に前記浸透印が前記紙を捺印しながら前記折り曲げ式アーム部と前記受け面が前記スポンジを圧縮し、前記刃で前記紙を切断後、前記折り曲げ式アーム部を逆回転させ前記折り曲げ式アーム部と前記受け面が離れ、圧縮されていた前記スポンジの復元しようとする反発力を利用し前記浸透印と前記紙を離脱させて迂回の前記紙を自由落下させる特徴の先端出し切断機。
【請求項７】
各刃にキックバネを設置した鋏とともにスポンジと浸透印を折り曲げ式アーム部に設置するとともに、受け皿を設置した切断機であって、
前記折り曲げ式アーム部を回転させると共に前記折り曲げ式アーム部が布を迂回させ前記受け皿が前記折り曲げ式アーム部の回転を停止し、同時に前記浸透印が前記布を捺印しながら前記折り曲げ式アーム部と前記受け皿が前記スポンジを圧縮し、前記鋏で前記布を切断後、前記折り曲げ式アーム部を逆回転させ前記折り曲げ式アーム部と前記受け皿が離れ、圧縮されていた前記スポンジの復元しようとする反発力を利用し前記浸透印と前記布を離脱させて迂回の前記布を自由落下させる特徴の先端出し切断機。
【請求項８】
各刃にキックバネを設置した鋏とともにスポンジと浸透印を回転する折り曲げ式アーム部に設置するとともに、受け皿を設置した切断機であって、
前記折り曲げ式アーム部を回転させると共に前記折り曲げ式アーム部が布を迂回させ前記受け皿が前記折り曲げ式アーム部の回転を停止し、同時に前記浸透印が前記布を捺印しながら前記折り曲げ式アーム部と前記受け皿が前記スポンジを圧縮し、前記鋏で前記布を切断後、前記折り曲げ式アーム部を逆回転させ前記折り曲げ式アーム部と前記受け皿が離れ、圧縮されていた前記スポンジの復元しようとする反発力を利用し前記浸透印と前記布を離脱させて迂回の前記布を自由落下させる特徴の先端出し切断機。
【請求項９】
各刃にキックバネを設置した鋏とともにスポンジと浸透印を蝶番にて回転する折り曲げ式アーム部に設置するとともに、受け皿を設置した切断機であって、
前記折り曲げ式アーム部を回転させると共に前記折り曲げ式アーム部が布を迂回させ前記受け皿が前記折り曲げ式アーム部の回転を停止し、同時に前記浸透印が前記布を捺印しながら前記折り曲げ式アーム部と前記受け皿が前記スポンジを圧縮し、前記鋏で前記布を切断後、前記折り曲げ式アーム部を逆回転させ前記折り曲げ式アーム部と前記受け皿が離れ、圧縮されていた前記スポンジの復元しようとする反発力を利用し前記浸透印と前記布を離脱させて迂回の前記布を自由落下させる特徴の先端出し切断機。
【請求項１０】
各刃にキックバネを設置した鋏を折り曲げ式アーム部に設置するとともに、受け面にスポンジと浸透印を設置した切断機であって、
前記折り曲げ式アーム部を回転させると共に前記折り曲げ式アーム部が布を迂回させ前記受け面が前記折り曲げ式アーム部の回転を停止し、同時に前記浸透印が前記布を捺印しながら前記折り曲げ式アーム部と前記受け面が前記スポンジを圧縮し、前記鋏で前記布を切断後、前記折り曲げ式アーム部を逆回転させ前記折り曲げ式アーム部と前記受け面が離れ、圧縮されていた前記スポンジの復元しようとする反発力を利用し前記浸透印と前記布を離脱させて迂回の前記布を自由落下させる特徴の先端出し切断機。
【請求項１１】
各刃にキックバネを設置した鋏を回転する折り曲げ式アーム部に設置するとともに、受け面にスポンジと浸透印を設置した切断機であって、
前記折り曲げ式アーム部を回転させると共に前記折り曲げ式アーム部が布を迂回させ前記受け面が前記折り曲げ式アーム部の回転を停止し、同時に前記浸透印が前記布を捺印しながら前記折り曲げ式アーム部と前記受け面が前記スポンジを圧縮し、前記鋏で前記布を切断後、前記折り曲げ式アーム部を逆回転させ前記折り曲げ式アーム部と前記受け面が離れ、圧縮されていた前記スポンジの復元しようとする反発力を利用し前記浸透印と前記布を離脱させて迂回の前記布を自由落下させる特徴の先端出し切断機。
【請求項１２】
各刃にキックバネを設置した鋏を蝶番にて回転する折り曲げ式アーム部に設置するとともに、受け面にスポンジと浸透印を設置した切断機であって、
前記折り曲げ式アーム部を回転させると共に前記折り曲げ式アーム部が布を迂回させ前記受け面が前記折り曲げ式アーム部の回転を停止し、同時に前記浸透印が前記布を捺印しながら前記折り曲げ式アーム部と前記受け面が前記スポンジを圧縮し、前記鋏で前記布を切断後、前記折り曲げ式アーム部を逆回転させ前記折り曲げ式アーム部と前記受け面が離れ、圧縮されていた前記スポンジの復元しようとする反発力を利用し前記浸透印と前記布を離脱させて迂回の前記布を自由落下させる特徴の先端出し切断機。
【請求項１３】
前記折り曲げ式アーム部に弾性部材を設置した請求項１記載の先端出し切断機。
【請求項１４】
前記折り曲げ式アーム部に弾性部材を設置した請求項２記載の先端出し切断機。
【請求項１５】
前記折り曲げ式アーム部に弾性部材を設置した請求項３記載の先端出し切断機。
【請求項１６】
前記折り曲げ式アーム部に弾性部材を設置した請求項４記載の先端出し切断機。
【請求項１７】
前記折り曲げ式アーム部に弾性部材を設置した請求項５記載の先端出し切断機。
【請求項１８】
前記折り曲げ式アーム部に弾性部材を設置した請求項６記載の先端出し切断機。
【請求項１９】
前記折り曲げ式アーム部に弾性部材を設置した請求項７記載の先端出し切断機。
【請求項２０】
前記折り曲げ式アーム部に弾性部材を設置した請求項８記載の先端出し切断機。
【請求項２１】
前記折り曲げ式アーム部に弾性部材を設置した請求項９記載の先端出し切断機。
【請求項２２】
前記折り曲げ式アーム部に弾性部材を設置した請求項１０記載の先端出し切断機。
【請求項２３】
前記折り曲げ式アーム部に弾性部材を設置した請求項１１記載の先端出し切断機。
【請求項２４】
前記折り曲げ式アーム部に弾性部材を設置した請求項１２記載の先端出し切断機。
【発明の詳細な説明】
【技術分野】
【０００１】当該発明は、ペーパータオル、トイレペーパー、紙リボンなどの「紙の切断機」と、ガーゼ・包帯・布リボンなどの「布地の切断機」に関する。「紙の切断機」はレストランや喫茶店などのテーブル上に置きお手拭としての使用例、また「布地の切断機」は病院・消防署などでの「包帯切断機」や一般用・お土産屋などの「布リボン切断機」などの使用例が考えられる。
【背景技術】
【０００２】従来は捺印機能が装備されていない、先端出し機能が付いているだけの「ペーパーカッター」または「テープカッター」である。【０００３】なお、本願発明に関する公知技術として次の特許文献1、２、３を挙げられる。【特許文献１】特開平１０-１３８１９１号公報
【特許文献２】特開２００２‐２４８０６４号公報
【特許文献３】実開平５-８１１６０号公報
【発明の開示】
【発明が解決しようとする課題】
【０００４】従来は捺印機能のついていない先端出しの「紙の切断機」「テープカッター」である。当該発明は切断と同時に宣伝文句を刻印して、紙出しをされた瞬間にその宣伝文句が目に留まるという宣伝効果、また同時に先端出しされた部分の為、掴みやすい機能を有する。【０００５】また当該発明は、朱油の代わりに水を利用した浸透印を使用するのも一つの例。その際に、ペーパータオルや布地に変色性積層体（特開2006−43971）を塗布し、水で発色することにより、指や袖などを汚さないように、という安心性も持たせることを特徴とする。【０００６】当該発明は、「紙の先端出し切断機」発明と「布の先端出し切断機」発明に於いて、計４種類の実施形態である。
【課題を解決するための手段】
【０００７】支点棒において回転する折り曲げ式アーム部に刃とスポンジと浸透印を設置と受け皿を設置した切断機であって、前記折り曲げ式アーム部を回転させると共に前記折り曲げ式アーム部が紙を迂回させ前記受け皿が前記折り曲げ式アーム部の回転を停止し、同時に前記浸透印が前記紙を捺印しながら前記折り曲げ式アーム部と前記受け皿が前記スポンジを圧縮し、前記刃で前記紙を切断後、前記折り曲げ式アーム部を逆回転させ前記折り曲げ式アーム部と前記受け皿が離れ、圧縮されていた前記スポンジの復元しようとする反発力を利用し前記浸透印と前記紙を離脱させて迂回の前記紙を自由落下させる特徴の先端出し切断機。【０００８】支点棒において回転する折り曲げ式アーム部に刃を設置と受け面にスポンジと浸透印を設置した切断機であって、前記折り曲げ式アーム部を回転させると共に前記折り曲げ式アーム部が紙を迂回させ前記受け面が前記折り曲げ式アーム部の回転を停止し、同時に前記浸透印が前記紙を捺印しながら前記折り曲げ式アーム部と前記受け面が前記スポンジを圧縮し、前記刃で前記紙を切断後、前記折り曲げ式アーム部を逆回転させ前記折り曲げ式アーム部と前記受け面が離れ、圧縮されていた前記スポンジの復元しようとする反発力を利用し前記浸透印と前記紙を離脱させて迂回の前記紙を自由落下させる特徴の先端出し切断機。【０００９】各刃にキックバネを設置した鋏とスポンジと浸透印を支点棒において回転する折り曲げ式アーム部に設置と受け皿を設置した切断機であって、前記折り曲げ式アーム部を回転させると共に前記折り曲げ式アーム部が布を迂回させ前記受け皿が前記折り曲げ式アーム部の回転を停止し、同時に前記浸透印が前記布を捺印しながら前記折り曲げ式アーム部と前記受け皿が前記スポンジを圧縮し、前記鋏で前記布を切断後、前記折り曲げ式アーム部を逆回転させ前記折り曲げ式アーム部と前記受け皿が離れ、圧縮されていた前記スポンジの復元しようとする反発力を利用し前記浸透印と前記布を離脱させて迂回の前記布を自由落下させる特徴の先端出し切断機。【００１０】支点棒において回転する折り曲げ式アーム部にキックバネを各刃に設置した鋏を設置と受け面にスポンジと浸透印を設置した切断機であって、前記折り曲げ式アーム部を回転させると共に前記折り曲げ式アーム部が布を迂回させ前記受け面が前記折り曲げ式アーム部の回転を停止し、同時に前記浸透印が前記布を捺印しながら前記折り曲げ式アーム部と前記受け面が前記スポンジを圧縮し、前記鋏で前記布を切断後、前記折り曲げ式アーム部を逆回転させ前記折り曲げ式アーム部と前記受け面が離れ、圧縮されていた前記スポンジの復元しようとする反発力を利用し前記浸透印と前記布を離脱させて迂回の前記布を自由落下させる特徴の先端出し切断機。【００１１】折り曲げ式アーム部に弾性部材を設置した「０００７」記載の切断機であって、前記折り曲げ式アーム部を回転させると共に前記折り曲げ式アーム部が紙を迂回させ受け皿が前記折り曲げ式アーム部の回転を停止し、同時に浸透印が前記紙を捺印しながら前記折り曲げ式アーム部と前記受け皿がスポンジを圧縮し、刃で前記紙を切断後、前記弾性部材が前記折り曲げ式アーム部を逆回転させ前記折り曲げ式アーム部と前記受け皿が離れ、圧縮されていた前記スポンジの復元しようとする反発力を利用し前記浸透印と前記紙を離脱させて迂回の前記紙を自由落下させる特徴の先端出し切断機。【００１２】折り曲げ式アーム部に弾性部材を設置した「０００８」記載の切断機であって、前記折り曲げ式アーム部を回転させると共に前記折り曲げ式アーム部が紙を迂回させ受け面が前記折り曲げ式アーム部の回転を停止し、同時に浸透印が前記紙を捺印しながら前記折り曲げ式アーム部と前記受け面がスポンジを圧縮し、刃で前記紙を切断後、前記弾性部材が前記折り曲げ式アーム部を逆回転させ前記折り曲げ式アーム部と前記受け面が離れ、圧縮されていた前記スポンジの復元しようとする反発力を利用し前記浸透印と前記紙を離脱させて迂回の前記紙を自由落下させる特徴の先端出し切断機。【００１３】折り曲げ式アーム部に弾性部材を設置した「０００９」記載の切断機であって、前記折り曲げ式アーム部を回転させると共に前記折り曲げ式アーム部が布を迂回させ受け皿が前記折り曲げ式アーム部の回転を停止し、同時に浸透印が前記布を捺印しながら前記折り曲げ式アーム部と前記受け皿がスポンジを圧縮し、鋏で前記布を切断後、前記弾性部材が前記折り曲げ式アーム部を逆回転させ前記折り曲げ式アーム部と前記受け皿が離れ、圧縮されていた前記スポンジの復元しようとする反発力を利用し前記浸透印と前記布を離脱させて迂回の前記布を自由落下させる特徴の先端出し切断機。【００１４】折り曲げ式アーム部に弾性部材を設置した「００１０」記載の切断機であって、前記折り曲げ式アーム部を回転させると共に前記折り曲げ式アーム部が布を迂回させ受け面が前記折り曲げ式アーム部の回転を停止し、同時に浸透印が前記布を捺印しながら前記折り曲げ式アーム部と前記受け面がスポンジを圧縮し、鋏で前記布を切断後、前記弾性部材が前記折り曲げ式アーム部を逆回転させ前記折り曲げ式アーム部と前記受け面が離れ、圧縮されていた前記スポンジの復元しようとする反発力を利用し前記浸透印と前記布を離脱させて迂回の前記布を自由落下させる特徴の先端出し切断機。
【発明の効果】
【００１５】浸透印(5)がロゴマーク・宣伝文句などの刻印を可能にして、紙出しされる(10)注目度の高い瞬間に利用者の目を引き付け、宣伝も可能となりうる機能を有している。（図２参照）【００１６】ペーパーメーカーの刻印にかかるコストを削減し、尚且つレストランなど店内でのキャンペーン終了直後に印鑑を交換するだけで宣伝・告知文句を変更できるので、「キャンペーン告知」などの無駄な紙を浪費することなく宣伝効果・経済性を向上させることにある。【００１７】水でも発色できるように、紙や布に変色性積層体を塗布している(特開：２００６−４３９７１)実施例が可能である。浸透印(5)の朱油の代わりに、水を含浸しているため手や口、袖などを汚さずに済む。心理的・衛生的にも安心である。アレルギーなどの心配も極力排除できる。【００１８】スポンジ(15)利用による紙と印判の離脱を可能としているので、紙(8)と浸透印(5)の印判が接着せずに、必ず離脱し、先端出しを発揮。図３〜図５参照。【００１９】台所・洗面所・病院等で「捺印する」「布地」用の「先端出し切断機」の形態も可能である。【００２０】「紙」「布」何れのリボンの切断用としても、「先端出し切断機」の形態が可能である。
【発明を実施するための最良の形態】
【００２１】以下、本発明を４つの実施例において図面に基づき詳細な説明をする。
【実施例１】
【００２２】図１は真横から見た全体図であり、図２はメカニズム部（折り曲げ式アーム部と先端出し部分）を正面から見た図であり、図３〜図５は紙を捺印しながら同時に紙を切断する経過を一連で表した図である。【００２３】図１〜図３は通常時の、レストランなどテーブルの上に設置されている状態図である。紙(8)がペーパーロール(9)から一直線に垂れ下がっているのがわかる。（図１参照）【００２４】使用者が、紙(8)を切り取ろうとする瞬間が図４である。ハンドル部(16)を片手で押しながら、同時にもう片方の手で紙(8)を切り取ろうとしているのがわかる。【００２５】この際、紙(8)を切り取ろうとしながら、同時に浸透印(5)が捺印を行っている状態である。紙(8)がＬ字型に迂回されているのがわかる。【００２６】図３（と同時に図１）で原型を保っていたスポンジ(15)が、図４にて超薄に圧縮されているのが、わかる。【００２７】紙(8)を切り取ったと同時に、ハンドル部(16)を握っていた片方の手を解放した直後に弾性部材(6) 、弾性部材(22)（共に一例としてバネ：以下同様）により折り曲げ式アーム部(1a) (1b)の位置へ復元したのが、図５である。（弾性部材(22)は図1を参照）【００２８】図４で圧縮されていたスポンジ(15)が原型に復元しようとする反発力を利用して、紙(8)と印判＝浸透印(5)が無事に離脱を行えたのが図５である。【００２９】朱油と紙(8)の接触面積、朱油の粘着性など色々な原因が推測されるが、試作品においておよそ８回から１２回に一度の割合で紙(8)と印判(5)が接着していた。【００３０】故に、紙(8)と印判(5)が接着していたために、紙の先端出し(10)も行われなかったし、印影部分も表示されなかったために二重の問題点を解消することが大きな課題であった。【００３１】スポンジ(15)の一面を折り曲げ式アーム部(1a)に固定設置することにより、下記の２つの問題を解消した。それは、【００３２】１）捺印時に折り曲げ式アーム部(1a)が受け皿(4)に圧力を加える際に、スポンジ(15)が折り曲げ式アーム部(1a)と受け皿(4)の中間で超薄に圧縮可能となり、捺印に殆ど悪影響を与えない。故に印影のカスミ・朱油の不着を防ぐ。【００３３】２）図5の状態において、スポンジ(15)が原型に復元しようとする力が反発力として働き、紙(8)と印判(5)の確実なる、完全な、常時における離脱する効果を発揮した。図２のように、レストランのロゴマークや宣伝文句(10)などが使用者の目に留まる効果を発揮する。【００３４】以上により、上記「0033」で述べた、１）紙の先端出しと、２）印影部分の表示を確実にするためにスポンジ(15)を折り曲げ式アーム部(1a)に固定設置した理由・目的である。【００３５】また、蝶番(23)が折り曲げ式アーム部(1a)(1b)を繋げる実施形態。（図1、図２、図４参照）ローラー(26)と蝶番(23)が折り曲げ式アーム部(1a)(1b)のスムーズな折り曲げを実現している。【００３６】また、折り曲げ式アーム部(1b)が紙(8)をハンドル部(16)側に巻き込むのを防ぐ壁の効果も発揮する。（図４参照）【００３７】また補足でありながら重要構成として、ペーパーロール(9)の中心に、ボールベアリング(19)を設置する。このことにより、ハンドル部(16)を押した際に、ボールベアリング(19)がより少ない摩擦で回転を可能とするために、より多くの紙(8)を供給できることにある。（以下：実施例２、実施例３、実施例４も同様）【００３８】朱油と紙(8)の組み合わせとしては、下記だけに限らないが何通りか考えられる（実施例2も同様）。それは、【００３９】１）水溶性、油性の通常朱油を含侵させた浸透印を用いて、通常紙に捺印する方法が一つである。これは最も通俗的な捺印方法と捺印媒体である。【００４０】２）乾性インキを朱油に用いて、通常紙に捺印する方法と捺印媒体が考えられる。【００４１】３）朱油の代替えとして水だけを含侵させた浸透印を用いて、変色性積層体(特開２００６−４３９７１号)を塗布した紙に捺印する方法且つ捺印媒体である。【００４２】浸透印ゴム部分における多孔質の穴の直径は、朱油に比べ水を通過させるには大きすぎる。もし直径が大きすぎて水の通過量が多すぎたら、ゴムを練る際の多孔質の穴を制作する工程において塩の粒の大きさを調整して小さく製造すれば良い。詳しくはhttp://www.nttcom.co.jp/comzine/no032/long_seller/index.htmlを参照。【００４３】スポンジ(15)の肉厚は、厚すぎると捺印の印影にカスミ・朱油不着などの問題を引き起こしてしまうし、薄すぎると紙(8)と印判(5)を離脱させる反発力が小さすぎてしまい、離脱の確実な保証ができなくなってしまうので、適度な厚みを考慮する必要がある。（以下実施例２、実施例３、実施例４も同様）【００４４】浸透印(5)の印影は一例として図２(10)を図示したが、様々な印影を施せることは限り無し。印判に細工を全く施さずに「ノッペラボウ」として印判の全面捺印することも、その一例である。（浸透印：以下同様）
【実施例２】
【００４５】実施例１と同じく、捺印を行い、且つ紙の先端出しをする切断機である。しかしながら、引きレバー(17)を用いることがその違いである。図６参照【００４６】図６がレストランなどの机上に設置された通常時であり、切断しようとしている瞬間が図７である。【００４７】浸透印(5)とスポンジ(15)の両方が受け面(12)に設置されているのが実施例２の特徴である。【００４８】紙(8)を切断しようとする際、使用者は引きレバー(17)を自分の手前へと引き上げるような状態になる。図７参照。【００４９】その際、捺印を行うと同時に、折り曲げ式アーム部(1a)と受け面(12)の中間でスポンジ(15)は超薄に圧縮されているのがわかる。また紙(8)の経路はL字型として迂回されているのがわかる。【００５０】紙(8)の切断を終了した（同時に捺印も終了した）使用者は、引きレバー(17)を握っていた片手を解放する。【００５１】その直後に、スポンジ(15)の反発力と、自然な重力により、図６のように紙(8)が下へと落下する。【００５２】故に、図７で迂回をしていた紙(8)の経路とボールベアリング(19)による多くの紙(8)の供給量が外へと自然と押し出され、そのまま先端出しとして行われる仕組みである。【００５３】同時に、先端出しされたとその部位に、浸透印(5)が捺印した印影がそのまま使用者の目に留まるという、一連の動作も説明したことになる。
【実施例３】
【００５４】実施例３の折り曲げ式アーム部(1a)に浸透印(5)とスポンジ(15)を付け加えたのが、実施例４の形態である。（図８、図９参照）【００５５】つまり、１）捺印を行う、２）布の先端出し切断機である。【００５６】捺印を行う際に、スポンジ(15)が超薄に圧縮されているのがわかる。（図９参照）【００５７】捺印後、ハンドル部(16)から手を解放した直後、スポンジ(15)の反発力により、布(18)と印判(5)を確実、完全に常時における離脱をさせることは実施例１、実施例２と同様な仕組みである。【００５８】浸透印(5)の朱油と布の組み合わせは下記だけに限らない。それは、【００５９】１）水溶性、油性の朱油を含侵させた浸透印を用いて、布（布地）に捺印する方法例が一つ。【００６０】２）速乾性インキを朱油に用いて、布（布地）に捺印する方法例も考えられる。【００６１】３）朱油の代替えとして水だけを含侵させた浸透印を用いて、変色性積層体(特開２００６−４３９７１号)を塗布した布（布地）に捺印する方法例も可能である。（実施例４も同様）【００６２】４）また、特殊インキTAT（タート）という、布（布地）でも鮮明に捺印できる浸透印も販売されている（実施例４も同様）。詳しくは、http://www.nttcom.co.jp/comzine/no032/long_seller/index.html参照
【実施例４】
【００６３】実施例５の受け面(12)に浸透印(5)とスポンジ(15)を設置したのが実施例４の形態である(13f)。【００６４】故に１）捺印を行う、２）布の先端出し切断機である。【００６５】捺印を行う際に、スポンジ(15)が超薄に圧縮され、【００６６】捺印終了直後に、スポンジ(15)の反発力を利用して、布(18)と印判(5)が例え接着してしまっても、必ず常時においてお互いの離脱を保証する仕組みである。【００６７】以上、４つ全ての「実施例（実施形態）」を簡単に総括すると、実施例１＝１）捺印する、２）押しハンドル式、先端出しする紙の切断機。実施例２＝１）捺印する、２）引きレバー式、先端出しする紙の切断機。実施例３＝１）捺印する、２）押しハンドル式、先端出しする布の切断機。実施例４＝１）捺印する、２）引きレバー式、先端出しする布の切断機。である。
【図面の簡単な説明】
【００６８】
【図１】『実施例１(13a)』の全体図
【図２】『実施例１(13a)』の一部（メカニズム）を前から見た図
【図３】『実施例１(13a)』の通常時（メカニズム部）の図  
【図４】『実施例１(13a)』の捺印時・紙の切断瞬間図（メカニズム部）
【図５】『実施例１(13a)』の捺印直後・紙の切断直後図（メカニズム部）
【図６】『実施例2(13b)』の全体図（通常時）
【図７】『実施例2(13b)』の全体図（捺印時・紙の切断瞬間図）
【図８】『実施例３(13d)』の真上から見た図（通常時）
【図９】『実施例３(13d)』の捺印時・布の切断瞬間図
【図１０】『実施例４(13f)』の全体図（通常時）
【符号の説明】
【００６９】      １aは折り曲げ式アーム部      １bは折り曲げ式アーム部      ２は支点棒      ３は刃      ４は受け皿      ５は浸透印      ６は弾性部材      ７は前壁      ８はペーパー      ９はペーパーロール      10は紙出しされた先端      11は予備ロール      12は受け面      13aは『実施例１』の切断機      13bは『実施例２』の切断機      13dは『実施例３』の切断機      13fは『実施例４』の切断機14はペーペーロールホルダー      15はスポンジ16はハンドル部      17は引きレバー      18は布（布地）      19はボールベアリング      20はストッパー（アーム部ストッパー）      21は収納箱      22は弾性部材      23は蝶番      24は開口部      25はクッション      26はローラー      27は鋏      28はキックバネ（または蝶バネ）      29は横壁
【図１】
0004648356.tif 000002
【図２】
0004648356.tif 000003
【図３】
0004648356.tif 000004
【図４】
0004648356.tif 000005
【図５】
0004648356.tif 000006
【図６】
0004648356.tif 000007
【図７】
0004648356.tif 000008
【図８】
0004648356.tif 000009
【図９】
0004648356.tif 000010
【図１０】
0004648356.tif 000011